【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
照明インフラストラクチャに関連した収益モデルを実装するためのコンピューティング機器のための方法であって、
照明インフラストラクチャアプリケーションフレームワークからのデータへのアクセスを求める第1の機器からの要求を、前記コンピューティング機器で受信する工程であって、前記照明インフラストラクチャアプリケーションフレームワークからの前記データが、複数の照明ノードプラットフォーム機器のうちの少なくとも一つの照明ノードプラットフォーム機器からのデータを含む、前記工程;
要求のあった前記照明インフラストラクチャアプリケーションフレームワークからの前記データに少なくとも一部基づいて、前記第1の機器からの前記要求に対する応答を送信する工程;および
前記送信された応答に関連した料金および収益のうちの少なくとも一つを計算する工程
を含む方法。
【請求項２】
受信登録情報に基づいて機器を登録する工程であって、前記登録情報が、アプリケーション提供者と関連付けられた機器および第1の機器のうちの一つによって送信される、前記工程をさらに含む、請求項1記載の方法。
【請求項３】
登録情報が、認証資格情報、アクセス制御資格情報、使用許諾情報、広告許可情報、支払情報、および複数のデータタイプのうちの少なくとも一つの選択、のうちの少なくとも一つを含む、請求項2記載の方法。
【請求項４】
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、請求項3記載の方法。
【請求項５】
要求のあった照明インフラストラクチャアプリケーションフレームワークからのデータに第1の機器がアクセスするための許可を、受信登録情報に基づいて前記第1の機器が許可されているかどうか判定することによって検証する工程;および
前記第1の機器が許可されていないと判定された場合に前記第1の機器からの登録情報を求める要求を送信する工程
をさらに含む方法であって、
要求のあった前記照明インフラストラクチャアプリケーションフレームワークからの前記データに少なくとも一部基づいて前記第1の機器からの要求に対する応答を送信する工程が、前記第1の機器が許可されていると判定された場合に前記第1の機器からの前記要求に対する前記応答を送信する工程を含む、
請求項2記載の方法。
【請求項６】
照明インフラストラクチャアプリケーションフレームワークが、少なくとも一つのサービスプラットフォームコンピューティング機器と、少なくとも一つのゲートウェイプラットフォーム機器と、複数の照明ノードプラットフォーム機器とを含み、かつ
前記少なくとも一つのゲートウェイプラットフォーム機器が、前記少なくとも一つのサービスプラットフォームコンピューティング機器と通信を交換するように構成されており、かつ
前記複数の照明ノードプラットフォーム機器が、前記複数の照明ノードプラットフォーム機器と関連付けられたデータが前記少なくとも一つのゲートウェイプラットフォーム機器を介して前記少なくとも一つのサービスプラットフォームコンピューティング機器へ送信されるように、前記少なくとも一つのゲートウェイプラットフォーム機器と通信を交換するように構成されている、請求項1記載の方法。
【請求項７】
送信された応答に関連した料金および収益のうちの少なくとも一つを計算する工程が、
要求に基づいて第1の機器についての使用特性を決定する工程;および
前記決定された使用特性に基づいて前記料金を計算する工程
を含む、請求項1記載の方法。
【請求項８】
使用特性が、データのタイプ、データアクセスの頻度、データの量、データソース位置、データ需要、および要求時間のうちの少なくとも一つを含む、請求項7記載の方法。
【請求項９】
送信された応答に関連した料金および収益のうちの少なくとも一つを計算する工程が、
前記送信された応答に関連した照明インフラストラクチャアプリケーションフレームワークによる照明ノードプラットフォーム機器使用量を決定する工程;および
前記決定された照明ノードプラットフォーム機器使用量に関連した照明インフラストラクチャ所有者のための収益を計算する工程であって、前記照明インフラストラクチャ所有者が、照明ノードプラットフォーム機器を含む照明インフラストラクチャと関連付けられている、前記工程
を含む、請求項1記載の方法。
【請求項１０】
少なくとも一つの照明ノードプラットフォーム機器が、
電力を受け取るための電源と、
前記電源に結合された照明ソケットと、
前記電源に結合されたプロセッサを含むノードアプリケーションコントローラと、
サービスプラットフォームコンピュータに通信可能に結合されている、前記プロセッサに結合されたネットワークインターフェースと、
前記少なくとも一つの照明ノードプラットフォーム機器での条件を検出し、応答して前記条件に関する情報を前記プロセッサに提供するための、前記プロセッサに結合されたセンサと
を含む、請求項1記載の方法。
【請求項１１】
電力のための電源が、交流電力を受け取るための電源入力端子を含み、かつ
第1の照明ノードプラットフォーム機器が、
前記電源入力端子に結合された交流直流変換器と、
前記交流直流変換器に結合されたLEDドライバと、
前記交流直流変換器から第1のセンサへと電力を提供するために前記LEDドライバに結合された電力インターフェースと
をさらに含む、請求項10記載の方法。
【請求項１２】
照明インフラストラクチャアプリケーションフレームワークが、複数の照明ノードプラットフォーム機器の各々が複数のセンサのうちの少なくとも一つのセンサを含むように前記複数のセンサを含み、かつ
前記複数のセンサの各センサが、サービスプラットフォームコンピュータにセンサデータを提供する、請求項1記載の方法。
【請求項１３】
複数のセンサが、エネルギー使用センサ、光センサ、動き検出器、占有センサ、エネルギー使用量センサ、光センサ、環境センサ、セキュリティセンサ、動き検出器、オーディオセンサ、カメラ、ガス検知センサ、侵入検知器、振動センサ、人検知センサ、車両検知センサ、安全センサ、バイオハザードセンサ、スキャンセンサ、位置センサ、バイオメトリックセンサ、力学的センサ、信号検出器、および産業特有のセンサを含む、請求項12記載の方法。
【請求項１４】
照明インフラストラクチャに関連した収益モデルを実装するように構成されたコンピューティング機器であって、
メモリと、
前記メモリに結合されたプロセッサであって、
照明インフラストラクチャアプリケーションフレームワークからのデータへのアクセスを求める第1の機器からの要求を受信する動作であって、前記照明インフラストラクチャアプリケーションフレームワークからの前記データが、複数の照明ノードプラットフォーム機器のうちの少なくとも一つの照明ノードプラットフォーム機器からのデータを含む、前記動作と、
要求のあった前記照明インフラストラクチャアプリケーションフレームワークからの前記データに少なくとも一部基づいて前記第1の機器からの前記要求に対する応答を送信する動作と、
前記送信された応答に関連した料金および収益のうちの少なくとも一つを計算する動作と
を含む動作を実行するためのプロセッサ実行可能命令を用いて構成される前記プロセッサと
を含むコンピューティング機器。
【請求項１５】
照明インフラストラクチャアプリケーションフレームワークからのデータへのアクセスを求める第1の機器からの要求を、コンピューティング機器で受信する工程が、照明インフラストラクチャアプリケーションフレームワークからのデータへのアクセスを求める、第1の機器上で実行されているアプリケーションによって送信された前記要求を、前記コンピューティング機器で受信する工程を含み、前記第1の機器が、第三者機器およびサービスプラットフォームコンピュータのうちの少なくとも一つである、請求項1記載の方法。
【手続補正２】
【補正対象書類名】明細書
【補正対象項目名】００１０
【補正方法】変更
【補正の内容】
【００１０】
別の態様では、コンピューティング機器は、照明インフラストラクチャアプリケーションフレームワークと関連付けられたデータ市場を提供するための方法を実行するように構成されてよく、方法は、少なくとも一つの照明ノードプラットフォーム機器を含む照明インフラストラクチャに関連したデータをコンピューティング機器で受信する工程、価値要因に基づいて受信データの価値および入札条件を計算する工程であって、価値要因が少なくともデータタイプおよび収集区域を含む、前記工程、受信データについての入札メッセージを受信する工程、計算された入札条件に基づいて入札条件が満たされたかどうか判定する工程、ならびに入札条件が満たされたと判定された場合に、受信した入札メッセージと関連付けられた受領側機器へデータを送信する工程を含みうる。
[本発明1001]
照明インフラストラクチャに関連した収益モデルを実装するためのコンピューティング機器のための方法であって、
照明インフラストラクチャアプリケーションフレームワークからのデータへのアクセスを求める第1の機器からの要求を、前記コンピューティング機器で受信する工程であって、前記照明インフラストラクチャアプリケーションフレームワークからの前記データが、複数の照明ノードプラットフォーム機器のうちの少なくとも一つの照明ノードプラットフォーム機器からのデータを含む、前記工程;
要求のあった前記照明インフラストラクチャアプリケーションフレームワークからの前記データに少なくとも一部基づいて、前記第1の機器からの前記要求に対する応答を送信する工程;および
前記送信された応答に関連した料金および収益のうちの少なくとも一つを計算する工程
を含む方法。
[本発明1002]
受信登録情報に基づいて機器を登録する工程であって、前記登録情報が、アプリケーション提供者と関連付けられた機器および第1の機器のうちの一つによって送信される、前記工程をさらに含む、本発明1001の方法。
[本発明1003]
登録情報が、認証資格情報、アクセス制御資格情報、使用許諾情報、広告許可情報、支払情報、および複数のデータタイプのうちの少なくとも一つの選択、のうちの少なくとも一つを含む、本発明1002の方法。
[本発明1004]
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、本発明1003の方法。
[本発明1005]
要求のあった照明インフラストラクチャアプリケーションフレームワークからのデータに第1の機器がアクセスするための許可を、受信登録情報に基づいて前記第1の機器が許可されているかどうか判定することによって検証する工程;および
前記第1の機器が許可されていないと判定された場合に前記第1の機器からの登録情報を求める要求を送信する工程
をさらに含む方法であって、
要求のあった前記照明インフラストラクチャアプリケーションフレームワークからの前記データに少なくとも一部基づいて前記第1の機器からの要求に対する応答を送信する工程が、前記第1の機器が許可されていると判定された場合に前記第1の機器からの前記要求に対する前記応答を送信する工程を含む、
本発明1002の方法。
[本発明1006]
照明インフラストラクチャアプリケーションフレームワークが、少なくとも一つのサービスプラットフォームコンピューティング機器と、少なくとも一つのゲートウェイプラットフォーム機器と、複数の照明ノードプラットフォーム機器とを含み、かつ
前記少なくとも一つのゲートウェイプラットフォーム機器が、前記少なくとも一つのサービスプラットフォームコンピューティング機器と通信を交換するように構成されており、かつ
前記複数の照明ノードプラットフォーム機器が、前記複数の照明ノードプラットフォーム機器と関連付けられたデータが前記少なくとも一つのゲートウェイプラットフォーム機器を介して前記少なくとも一つのサービスプラットフォームコンピューティング機器へ送信されるように、前記少なくとも一つのゲートウェイプラットフォーム機器と通信を交換するように構成されている、本発明1001の方法。
[本発明1007]
送信された応答に関連した料金および収益のうちの少なくとも一つを計算する工程が、
要求に基づいて第1の機器についての使用特性を決定する工程;および
前記決定された使用特性に基づいて前記料金を計算する工程
を含む、本発明1001の方法。
[本発明1008]
使用特性が、データのタイプ、データアクセスの頻度、データの量、データソース位置、データ需要、および要求時間のうちの少なくとも一つを含む、本発明1007の方法。
[本発明1009]
送信された応答に関連した料金および収益のうちの少なくとも一つを計算する工程が、
前記送信された応答に関連した照明インフラストラクチャアプリケーションフレームワークによる照明ノードプラットフォーム機器使用量を決定する工程;および
前記決定された照明ノードプラットフォーム機器使用量に関連した照明インフラストラクチャ所有者のための収益を計算する工程であって、前記照明インフラストラクチャ所有者が、照明ノードプラットフォーム機器を含む照明インフラストラクチャと関連付けられている、前記工程
を含む、本発明1001の方法。
[本発明1010]
少なくとも一つの照明ノードプラットフォーム機器が、
電力を受け取るための電源と、
前記電源に結合された照明ソケットと、
前記電源に結合されたプロセッサを含むノードアプリケーションコントローラと、
サービスプラットフォームコンピュータに通信可能に結合されている、前記プロセッサに結合されたネットワークインターフェースと、
前記少なくとも一つの照明ノードプラットフォーム機器での条件を検出し、応答して前記条件に関する情報を前記プロセッサに提供するための、前記プロセッサに結合されたセンサと
を含む、本発明1001の方法。
[本発明1011]
電力のための電源が、交流電力を受け取るための電源入力端子を含み、かつ
第1の照明ノードプラットフォーム機器が、
前記電源入力端子に結合された交流直流変換器と、
前記交流直流変換器に結合されたLEDドライバと、
前記交流直流変換器から第1のセンサへと電力を提供するために前記LEDドライバに結合された電力インターフェースと
をさらに含む、本発明1010の方法。
[本発明1012]
照明インフラストラクチャアプリケーションフレームワークが、複数の照明ノードプラットフォーム機器の各々が複数のセンサのうちの少なくとも一つのセンサを含むように前記複数のセンサを含み、かつ
前記複数のセンサの各センサが、サービスプラットフォームコンピュータにセンサデータを提供する、本発明1001の方法。
[本発明1013]
複数のセンサが、エネルギー使用センサ、光センサ、動き検出器、占有センサ、エネルギー使用量センサ、光センサ、環境センサ、セキュリティセンサ、動き検出器、オーディオセンサ、カメラ、ガス検知センサ、侵入検知器、振動センサ、人検知センサ、車両検知センサ、安全センサ、バイオハザードセンサ、スキャンセンサ、位置センサ、バイオメトリックセンサ、力学的センサ、信号検出器、および産業特有のセンサを含む、本発明1012の方法。
[本発明1014]
照明インフラストラクチャアプリケーションフレームワークに関連した料金および収益を計算するためのコンピューティング機器のための方法であって、
センサおよびコントローラのうちの少なくとも一つに関連したセンサデータおよびコントローラ情報のうちの少なくとも一つを含むデータを前記コンピューティング機器で受信する工程であって、前記センサおよび前記コントローラが、前記コンピューティング機器に結合されたローカルエリアネットワーク内にあり、かつ少なくとも一つの照明ノードプラットフォーム機器と関連付けられている、前記工程;
前記受信データと関連付けられる前記料金および前記収益を記述する情報を計算する工程であって、前記収益が、前記コンピューティング機器と関連付けられた照明インフラストラクチャ所有者のためのものである、前記工程;ならびに
前記計算された情報を、前記照明インフラストラクチャアプリケーションフレームワークと関連付けられた別の機器へ送信する工程
を含む方法。
[本発明1015]
照明インフラストラクチャアプリケーションフレームワークと関連付けられる節約情報を計算するためのコンピューティング機器のための方法であって、
前記照明インフラストラクチャアプリケーションフレームワーク内の複数の照明ノードプラットフォーム機器からリアルタイムのエネルギー使用量データを前記コンピューティング機器で受信する工程;
前記複数の照明ノードプラットフォーム機器の管理および使用と関連付けられるエネルギー節約情報を計算する工程;
前記複数の照明ノードプラットフォーム機器の前記管理および前記使用と関連付けられる前記計算されたエネルギー節約情報に基づいて炭素クレジット情報を自動的に計算する工程;ならびに
前記計算された炭素クレジット情報に基づいて炭素クレジットを求める要求を送信する工程
を含む方法。
[本発明1016]
照明インフラストラクチャアプリケーションフレームワークに関連したソフトウェアを配信するためのコンピューティング機器のための方法であって、
前記ソフトウェアを前記コンピューティング機器で受信する工程であって、前記ソフトウェアが、前記照明インフラストラクチャアプリケーションフレームワーク内の複数の照明ノードプラットフォーム機器のうちの少なくとも一つによって実行されるべきものであり、前記ソフトウェアが、スクリプト、アプリケーション、アプリ、およびルーチンのうちの少なくとも一つである、前記工程;
前記受信したソフトウェアを前記ソフトウェアの提供者に関連して記憶する工程であって、前記提供者がアプリケーション提供者および照明インフラストラクチャ所有者のうちの1者である、前記工程;ならびに
要求の受信に応答して前記ソフトウェアを宛先機器へ送信する工程
を含む方法。
[本発明1017]
ソフトウェアに対する更新をコンピューティング機器で受信する工程であって、前記更新が、バイナリ更新、ファームウェア更新、および構成データのうちの少なくとも一つである、前記工程;ならびに
前記更新の受信に応答して前記更新を送信する工程
をさらに含む、本発明1016の方法。
[本発明1018]
要求が、照明インフラストラクチャ所有者と関係していない第三者機器、ゲートウェイプラットフォーム機器、および複数の照明ノードプラットフォーム機器のうちの一つ、のうちの一つからのものである、本発明1016の方法。
[本発明1019]
宛先機器が、複数の照明ノードプラットフォーム機器のうちの少なくとも一つである、本発明1016の方法。
[本発明1020]
照明インフラストラクチャアプリケーションフレームワークに関連して受信したデータを処理するためのコンピューティング機器のための方法であって、
前記照明インフラストラクチャアプリケーションフレームワーク内の複数の照明ノードプラットフォーム機器によって報告されるデータを前記コンピューティング機器で受信する工程;
前記受信データを分析することまたは集約することの少なくとも一方によって前記受信データを処理する工程;
前記受信データの前記処理に基づいて複数の事前定義のイベントのうちの少なくとも一つの発生を検出する工程;
前記受信データの前記処理に基づいて前記受信データ内の傾向を特定する工程;ならびに
前記データの前記処理に基づいて前記複数の事前定義のイベントのうちの少なくとも一つの将来の発生を予測する工程
を含む方法。
[本発明1021]
受信データの分析を報告するメッセージを送信する工程をさらに含む、本発明1020の方法。
[本発明1022]
受信データおよび受信データの分析のうちの少なくとも一つに基づいてコマンドを送信する工程であって、前記コマンドが、ソフトウェア、スクリプト、および構成データのうちの少なくとも一つを含む、前記工程をさらに含む、本発明1020の方法。
[本発明1023]
コマンドが、複数の照明ノードプラットフォーム機器と関連付けられたセンサのための動作命令を含む、本発明1022の方法。
[本発明1024]
照明インフラストラクチャに関連した収益モデルを実装するように構成されたコンピューティング機器であって、
照明インフラストラクチャアプリケーションフレームワークからのデータへのアクセスを求める第1の機器からの要求を受信するための手段であって、前記照明インフラストラクチャアプリケーションフレームワークからの前記データが、複数の照明ノードプラットフォーム機器のうちの少なくとも一つの照明ノードプラットフォーム機器からのデータを含む、前記手段と、
要求のあった前記照明インフラストラクチャアプリケーションフレームワークからの前記データに少なくとも一部基づいて前記第1の機器からの前記要求に対する応答を送信するための手段と、
前記送信された応答に関連した料金および収益のうちの少なくとも一つを計算するための手段と
を含むコンピューティング機器。
[本発明1025]
受信登録情報に基づいて機器を登録するための手段であって、前記登録情報が、アプリケーション提供者と関連付けられた機器および第1の機器のうちの一つによって送信される、前記手段をさらに含む、本発明1024のコンピューティング機器。
[本発明1026]
登録情報が、認証資格情報、アクセス制御資格情報、使用許諾情報、広告許可情報、支払情報、および複数のデータタイプのうちの少なくとも一つの選択、のうちの少なくとも一つを含む、本発明1025のコンピューティング機器。
[本発明1027]
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、本発明1026のコンピューティング機器。
[本発明1028]
要求のあった照明インフラストラクチャアプリケーションフレームワークからのデータに第1の機器がアクセスするための許可を、受信登録情報に基づいて前記第1の機器が許可されているかどうか判定することによって検証するための手段と、
前記第1の機器が許可されていないと判定された場合に前記第1の機器からの登録情報を求める要求を送信するための手段と
をさらに含むコンピューティング機器であって、
要求のあった前記照明インフラストラクチャアプリケーションフレームワークからの前記データに少なくとも一部基づいて前記第1の機器からの要求に対する応答を送信するための手段が、前記第1の機器が許可されていると判定された場合に前記第1の機器からの前記要求に対する前記応答を送信することを含む、
本発明1025のコンピューティング機器。
[本発明1029]
照明インフラストラクチャアプリケーションフレームワークが、少なくとも一つのサービスプラットフォームコンピューティング機器と、少なくとも一つのゲートウェイプラットフォーム機器と、複数の照明ノードプラットフォーム機器とを含み、かつ
前記少なくとも一つのゲートウェイプラットフォーム機器が、前記少なくとも一つのサービスプラットフォームコンピューティング機器と通信を交換するように構成されており、かつ
前記複数の照明ノードプラットフォーム機器が、前記複数の照明ノードプラットフォーム機器と関連付けられたデータが前記少なくとも一つのゲートウェイプラットフォーム機器を介して前記少なくとも一つのサービスプラットフォームコンピューティング機器へ送信されるように、前記少なくとも一つのゲートウェイプラットフォーム機器と通信を交換するように構成されている、本発明1024のコンピューティング機器。
[本発明1030]
送信された応答に関連した料金および収益のうちの少なくとも一つを計算するための手段が、
要求に基づいて第1の機器についての使用特性を決定するための手段と、
前記決定された使用特性に基づいて前記料金を計算するための手段と
を含む、本発明1024のコンピューティング機器。
[本発明1031]
使用特性が、データのタイプ、データアクセスの頻度、データの量、データソース位置、データ需要、および要求時間のうちの少なくとも一つを含む、本発明1030のコンピューティング機器。
[本発明1032]
送信された応答に関連した料金および収益のうちの少なくとも一つを計算するための手段が、
前記送信された応答に関連した照明インフラストラクチャアプリケーションフレームワークによる照明ノードプラットフォーム機器使用量を決定するための手段と、
前記決定された照明ノードプラットフォーム機器使用量に関連した照明インフラストラクチャ所有者のための収益を計算するための手段であって、前記照明インフラストラクチャ所有者が、照明ノードプラットフォーム機器を含む照明インフラストラクチャと関連付けられている、前記手段と
を含む、本発明1024のコンピューティング機器。
[本発明1033]
少なくとも一つの照明ノードプラットフォーム機器が、
電力を受け取るための電源と、
前記電源に結合された照明ソケットと、
前記電源に結合されたプロセッサを含むノードアプリケーションコントローラと、
サービスプラットフォームコンピュータに通信可能に結合されている、前記プロセッサに結合されたネットワークインターフェースと、
前記少なくとも一つの照明ノードプラットフォーム機器での条件を検出し、応答して前記条件に関する情報を前記プロセッサに提供するための、前記プロセッサに結合されたセンサと
を含む、本発明1024のコンピューティング機器。
[本発明1034]
電力のための電源が、交流電力を受け取るための電源入力端子を含み、かつ
照明ノードプラットフォーム機器が、
前記電源入力端子に結合された交流直流変換器と、
前記交流直流変換器に結合されたLEDドライバと、
前記交流直流変換器から第1のセンサへと電力を提供するために前記LEDドライバに結合された電力インターフェースと
をさらに含む、本発明1033のコンピューティング機器。
[本発明1035]
照明インフラストラクチャアプリケーションフレームワークが、複数の照明ノードプラットフォーム機器の各々が複数のセンサのうちの少なくとも一つのセンサを含むように前記複数のセンサを含み、かつ
前記複数のセンサの各センサが、サービスプラットフォームコンピュータにセンサデータを提供する、本発明1024のコンピューティング機器。
[本発明1036]
複数のセンサが、エネルギー使用センサ、光センサ、動き検出器、占有センサ、エネルギー使用量センサ、光センサ、環境センサ、セキュリティセンサ、オーディオセンサ、カメラ、ガス検知センサ、侵入検知器、動きセンサ、振動センサ、人検知センサ、車両検知センサ、安全センサ、バイオハザードセンサ、スキャンセンサ、位置センサ、バイオメトリックセンサ、力学的センサ、信号検出器、および産業特有のセンサを含む、本発明1035のコンピューティング機器。
[本発明1037]
照明インフラストラクチャアプリケーションフレームワークに関連した料金および収益を計算するように構成されたコンピューティング機器であって、
センサおよびコントローラのうちの少なくとも一つに関連したセンサデータおよびコントローラ情報のうちの少なくとも一つを含むデータを受信するための手段であって、前記センサおよび前記コントローラが、前記コンピューティング機器に結合されたローカルエリアネットワーク内にあり、かつ少なくとも一つの照明ノードプラットフォーム機器と関連付けられている、前記手段と、
前記受信データと関連付けられる前記料金および前記収益を記述する情報を計算するための手段であって、前記収益が、前記コンピューティング機器と関連付けられた照明インフラストラクチャ所有者のためのものである、前記手段と、
前記計算された情報を、前記照明インフラストラクチャアプリケーションフレームワークと関連付けられた別の機器へ送信するための手段と
を含むコンピューティング機器。
[本発明1038]
照明インフラストラクチャアプリケーションフレームワークと関連付けられる節約情報を計算するように構成されたコンピューティング機器であって、
前記照明インフラストラクチャアプリケーションフレームワーク内の複数の照明ノードプラットフォーム機器からリアルタイムのエネルギー使用量データを受信するための手段と、
前記複数の照明ノードプラットフォーム機器の管理および使用と関連付けられるエネルギー節約情報を計算するための手段と、
前記複数の照明ノードプラットフォーム機器の前記管理および前記使用と関連付けられる前記計算されたエネルギー節約情報に基づいて炭素クレジット情報を自動的に計算するための手段と、
前記計算された炭素クレジット情報に基づいて炭素クレジットを求める要求を送信するための手段と
を含むコンピューティング機器。
[本発明1039]
照明インフラストラクチャアプリケーションフレームワークに関連したソフトウェアを配信するように構成されたコンピューティング機器であって、
前記ソフトウェアを受信するための手段であって、前記ソフトウェアが、前記照明インフラストラクチャアプリケーションフレームワーク内の複数の照明ノードプラットフォーム機器のうちの少なくとも一つによって実行されるべきものであり、前記ソフトウェアが、スクリプト、アプリケーション、アプリ、およびルーチンのうちの少なくとも一つである、前記手段と、
前記受信したソフトウェアを前記ソフトウェアの提供者に関連して記憶するための手段であって、前記提供者がアプリケーション提供者および照明インフラストラクチャ所有者のうちの1者である、前記手段と、
要求の受信に応答して前記ソフトウェアを宛先機器へ送信するための手段と
を含むコンピューティング機器。
[本発明1040]
ソフトウェアに対する更新を受信するための手段であって、前記更新が、バイナリ更新、ファームウェア更新、および構成データのうちの少なくとも一つである、前記手段と、
前記更新の受信に応答して前記更新を送信するための手段と
をさらに含む、本発明1039のコンピューティング機器。
[本発明1041]
要求が、照明インフラストラクチャ所有者と関係していない第三者機器、ゲートウェイプラットフォーム機器、および複数の照明ノードプラットフォーム機器のうちの一つ、のうちの一つからのものである、本発明1039のコンピューティング機器。
[本発明1042]
宛先機器が、複数の照明ノードプラットフォーム機器のうちの少なくとも一つである、本発明1039のコンピューティング機器。
[本発明1043]
照明インフラストラクチャアプリケーションフレームワークに関連して受信したデータを処理するように構成されたコンピューティング機器であって、
前記照明インフラストラクチャアプリケーションフレームワーク内の複数の照明ノードプラットフォーム機器によって報告されるデータを受信するための手段と、
前記受信データを分析することまたは集約することの少なくとも一方によって前記受信データを処理するための手段と、
前記データの前記処理に基づいて複数の事前定義のイベントのうちの少なくとも一つの発生を検出するための手段と、
前記データの前記処理に基づいて前記受信データ内の傾向を特定するための手段と、
前記データの前記処理に基づいて前もってイベントを予測するための手段と
を含むコンピューティング機器。
[本発明1044]
データの処理を報告するメッセージを送信するための手段をさらに含む、本発明1043のコンピューティング機器。
[本発明1045]
受信データおよび前記データの処理のうちの少なくとも一つに基づいてコマンドを送信するための手段であって、前記コマンドが、ソフトウェア、スクリプト、および構成データのうちの少なくとも一つを含む、前記手段をさらに含む、本発明1043のコンピューティング機器。
[本発明1046]
コマンドが、複数の照明ノードプラットフォーム機器と関連付けられたセンサのための動作命令を含む、本発明1045のコンピューティング機器。
[本発明1047]
照明インフラストラクチャに関連した収益モデルを実装するように構成されたコンピューティング機器であって、
メモリと、
前記メモリに結合されたプロセッサであって、
照明インフラストラクチャアプリケーションフレームワークからのデータへのアクセスを求める第1の機器からの要求を受信する動作であって、前記照明インフラストラクチャアプリケーションフレームワークからの前記データが、複数の照明ノードプラットフォーム機器のうちの少なくとも一つの照明ノードプラットフォーム機器からのデータを含む、前記動作と、
要求のあった前記照明インフラストラクチャアプリケーションフレームワークからの前記データに少なくとも一部基づいて前記第1の機器からの前記要求に対する応答を送信する動作と、
前記送信された応答に関連した料金および収益のうちの少なくとも一つを計算する動作と
を含む動作を実行するためのプロセッサ実行可能命令を用いて構成される前記プロセッサと
を含むコンピューティング機器。
[本発明1048]
プロセッサが、
受信登録情報に基づいて機器を登録する動作であって、前記登録情報が、アプリケーション提供者と関連付けられた機器および第1の機器のうちの一つによって送信される、前記動作
をさらに含むプロセッサ実行可能命令を用いて、構成される、本発明1047のコンピューティング機器。
[本発明1049]
登録情報が、認証資格情報、アクセス制御資格情報、使用許諾情報、広告許可情報、支払情報、および複数のデータタイプのうちの少なくとも一つの選択、のうちの少なくとも一つを含む、本発明1048のコンピューティング機器。
[本発明1050]
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、本発明1049のコンピューティング機器。
[本発明1051]
プロセッサが、
要求のあった照明インフラストラクチャアプリケーションフレームワークからのデータに第1の機器がアクセスするための許可を、受信登録情報に基づいて前記第1の機器が許可されているかどうか判定することによって検証する動作と、
前記第1の機器が許可されていないと判定された場合に前記第1の機器からの登録情報を求める要求を送信する動作と
をさらに含むプロセッサ実行可能命令を用いて、構成され、かつ
前記プロセッサが、
要求のあった前記照明インフラストラクチャアプリケーションフレームワークからの前記データに少なくとも一部基づいて前記第1の機器からの要求に対する応答を送信する動作が、前記第1の機器が許可されていると判定された場合に前記第1の機器からの前記要求に対する前記応答を送信する動作を含むようになっているプロセッサ実行可能命令を用いて、構成される、本発明1048のコンピューティング機器。
[本発明1052]
照明インフラストラクチャアプリケーションフレームワークが、少なくとも一つのサービスプラットフォームコンピューティング機器と、少なくとも一つのゲートウェイプラットフォーム機器と、複数の照明ノードプラットフォーム機器とを含み、かつ
前記少なくとも一つのゲートウェイプラットフォーム機器が、前記少なくとも一つのサービスプラットフォームコンピューティング機器と通信を交換するように構成されており、かつ
前記複数の照明ノードプラットフォーム機器が、前記複数の照明ノードプラットフォーム機器と関連付けられたデータが前記少なくとも一つのゲートウェイプラットフォーム機器を介して前記少なくとも一つのサービスプラットフォームコンピューティング機器へ送信されるように、前記少なくとも一つのゲートウェイプラットフォーム機器と通信を交換するように構成されている、本発明1047のコンピューティング機器。
[本発明1053]
プロセッサが、
送信された応答に関連した料金および収益のうちの少なくとも一つを計算する動作が、
要求に基づいて第1の機器についての使用特性を決定する動作と、
前記決定された使用特性に基づいて前記料金を計算する動作と
を含むようになっているプロセッサ実行可能命令を用いて、構成される、本発明1047のコンピューティング機器。
[本発明1054]
使用特性が、データのタイプ、データアクセスの頻度、データの量、データソース位置、データ需要、および要求時間のうちの少なくとも一つを含む、本発明1053のコンピューティング機器。
[本発明1055]
プロセッサが、
送信された応答に関連した料金および収益のうちの少なくとも一つを計算する動作が、
前記送信された応答に関連した照明インフラストラクチャアプリケーションフレームワークによる照明ノードプラットフォーム機器使用量を決定する動作と、
前記決定された照明ノードプラットフォーム機器使用量に関連した照明インフラストラクチャ所有者のための収益を計算する動作であって、前記照明インフラストラクチャ所有者が、照明ノードプラットフォーム機器を含む照明インフラストラクチャと関連付けられている、前記動作と
を含むようになっているプロセッサ実行可能命令を用いて、構成される、本発明1047のコンピューティング機器。
[本発明1056]
少なくとも一つの照明ノードプラットフォーム機器が、
電力を受け取るための電源と、
前記電源に結合された照明ソケットと、
前記電源に結合されたデータプロセッサを含むノードアプリケーションコントローラと、
サービスプラットフォームコンピュータに通信可能に結合されている、前記プロセッサに結合されたネットワークインターフェースと、
前記少なくとも一つの照明ノードプラットフォーム機器での条件を検出し、応答して前記条件に関する情報を前記プロセッサに提供するための、前記プロセッサに結合されたセンサと
を含む、本発明1047のコンピューティング機器。
[本発明1057]
電力のための電源が、交流電力を受け取るための電源入力端子を含み、かつ
照明ノードプラットフォーム機器が、
前記電源入力端子に結合された交流直流変換器と、
前記交流直流変換器に結合されたLEDドライバと、
前記交流直流変換器から第1のセンサへと電力を提供するために前記LEDドライバに結合された電力インターフェースと
をさらに含む、本発明1056のコンピューティング機器。
[本発明1058]
照明インフラストラクチャアプリケーションフレームワークが、複数の照明ノードプラットフォーム機器の各々が複数のセンサのうちの少なくとも一つのセンサを含むように前記複数のセンサを含み、かつ
前記複数のセンサの各センサが、サービスプラットフォームコンピュータにセンサデータを提供する、本発明1047のコンピューティング機器。
[本発明1059]
複数のセンサが、エネルギー使用センサ、光センサ、動き検出器、占有センサ、エネルギー使用量センサ、光センサ、環境センサ、セキュリティセンサ、オーディオセンサ、カメラ、ガス検知センサ、侵入検知器、振動センサ、人検知センサ、車両検知センサ、動きセンサ、安全センサ、バイオハザードセンサ、スキャンセンサ、位置センサ、バイオメトリックセンサ、力学的センサ、信号検出器、および産業特有のセンサを含む、本発明1058のコンピューティング機器。
[本発明1060]
照明インフラストラクチャアプリケーションフレームワークに関連した料金および収益を計算するように構成されたコンピューティング機器であって、
メモリと、
前記メモリに結合されたプロセッサであって、
センサおよびコントローラのうちの少なくとも一つに関連したセンサデータおよびコントローラ情報のうちの少なくとも一つを含むデータを受信する動作であって、前記センサおよび前記コントローラが、前記コンピューティング機器に結合されたローカルエリアネットワーク内にあり、かつ少なくとも一つの照明ノードプラットフォーム機器と関連付けられている、前記動作と、
前記受信データと関連付けられる前記料金および前記収益を記述する情報を計算する動作であって、前記収益が、前記コンピューティング機器と関連付けられた照明インフラストラクチャ所有者のためのものである、前記動作と、
前記計算された情報を、前記照明インフラストラクチャアプリケーションフレームワークと関連付けられた別の機器へ送信する動作と
を含む動作を実行するためのプロセッサ実行可能命令を用いて構成される前記プロセッサと
を含むコンピューティング機器。
[本発明1061]
照明インフラストラクチャアプリケーションフレームワークと関連付けられる節約情報を計算するように構成されたコンピューティング機器であって、
メモリと、
前記メモリに結合されたプロセッサであって、
前記照明インフラストラクチャアプリケーションフレームワーク内の複数の照明ノードプラットフォーム機器からリアルタイムのエネルギー使用量データを受信する動作と、
前記複数の照明ノードプラットフォーム機器の管理および使用と関連付けられるエネルギー節約情報を計算する動作と、
前記複数の照明ノードプラットフォーム機器の前記管理および前記使用と関連付けられる前記計算されたエネルギー節約情報に基づいて炭素クレジット情報を自動的に計算する動作と、
前記計算された炭素クレジット情報に基づいて炭素クレジットを求める要求を送信する動作と
を含む動作を実行するためのプロセッサ実行可能命令を用いて構成される前記プロセッサと
を含むコンピューティング機器。
[本発明1062]
照明インフラストラクチャアプリケーションフレームワークに関連したソフトウェアを配信するように構成されたコンピューティング機器であって、
メモリと、
前記メモリに結合されたプロセッサであって、
前記ソフトウェアを受信する動作であって、前記ソフトウェアが、前記照明インフラストラクチャアプリケーションフレームワーク内の複数の照明ノードプラットフォーム機器のうちの少なくとも一つによって実行されるべきものであり、前記ソフトウェアが、スクリプト、アプリケーション、アプリ、およびルーチンのうちの少なくとも一つである、前記動作と、
前記受信したソフトウェアを前記ソフトウェアの提供者に関連して記憶する動作であって、前記提供者がアプリケーション提供者および照明インフラストラクチャ所有者のうちの1者である、前記動作と、
要求の受信に応答して前記ソフトウェアを宛先機器へ送信する動作と
を含む動作を実行するためのプロセッサ実行可能命令を用いて構成される前記プロセッサと
を含むコンピューティング機器。
[本発明1063]
プロセッサが、
ソフトウェアに対する更新を受信する動作であって、前記更新が、バイナリ更新、ファームウェア更新、および構成データのうちの少なくとも一つである、前記動作と、
前記更新の受信に応答して前記更新を送信する動作と
をさらに含むプロセッサ実行可能命令を用いて、構成される、本発明1062のコンピューティング機器。
[本発明1064]
要求が、照明インフラストラクチャ所有者と関係していない第三者機器、ゲートウェイプラットフォーム機器、および複数の照明ノードプラットフォーム機器のうちの一つ、のうちの一つからのものである、本発明1062のコンピューティング機器。
[本発明1065]
宛先機器が、複数の照明ノードプラットフォーム機器のうちの少なくとも一つである、本発明1062のコンピューティング機器。
[本発明1066]
照明インフラストラクチャアプリケーションフレームワークに関連して受信したデータを処理するように構成されたコンピューティング機器であって、
メモリと、
前記メモリに結合されたプロセッサであって、
前記照明インフラストラクチャアプリケーションフレームワーク内の複数の照明ノードプラットフォーム機器によって報告されるデータを受信する動作と、
前記受信データを分析することまたは集約することの少なくとも一方によって前記受信データを処理する動作と、
前記データの前記処理に基づいて複数の事前定義のイベントのうちの少なくとも一つの発生を検出する動作と、
前記データの前記処理に基づいて前記受信データ内の傾向を特定する動作と、
前記データの前記処理に基づいて前もってイベントを予測する動作と
を含む動作を実行するためのプロセッサ実行可能命令を用いて構成される前記プロセッサと
を含むコンピューティング機器。
[本発明1067]
プロセッサが、データの処理を報告するメッセージを送信する動作をさらに含むプロセッサ実行可能命令を用いて構成される、本発明1066のコンピューティング機器。
[本発明1068]
プロセッサが、
受信データおよび前記データの処理のうちの少なくとも一つに基づいてコマンドを送信する動作であって、前記コマンドが、ソフトウェア、スクリプト、および構成データのうちの少なくとも一つを含む、前記動作
をさらに含むプロセッサ実行可能命令を用いて、構成される、本発明1066のコンピューティング機器。
[本発明1069]
コマンドが、複数の照明ノードプラットフォーム機器と関連付けられたセンサのための動作命令を含む、本発明1068のコンピューティング機器。
[本発明1070]
照明インフラストラクチャに関連した収益モデルを実装するための動作をプロセッサに実行させるように構成されたプロセッサ実行可能ソフトウェア命令が記憶されている非一時的プロセッサ可読記憶媒体であって、前記動作が、
照明インフラストラクチャアプリケーションフレームワークからのデータへのアクセスを求める第1の機器からの要求を受信する動作であって、前記照明インフラストラクチャアプリケーションフレームワークからの前記データが、複数の照明ノードプラットフォーム機器のうちの少なくとも一つの照明ノードプラットフォーム機器からのデータを含む、前記動作と、
要求のあった前記照明インフラストラクチャアプリケーションフレームワークからの前記データに少なくとも一部基づいて前記第1の機器からの前記要求に対する応答を送信する動作と、
前記送信された応答に関連した料金および収益のうちの少なくとも一つを計算する動作と
を含む、非一時的プロセッサ可読記憶媒体。
[本発明1071]
記憶されたプロセッサ実行可能ソフトウェア命令が、
受信登録情報に基づいて機器を登録する動作であって、前記登録情報が、アプリケーション提供者と関連付けられた機器および第1の機器のうちの一つによって送信される、前記動作
をさらに含む動作を、プロセッサに実行させるように構成されている、本発明1070の非一時的プロセッサ可読記憶媒体。
[本発明1072]
登録情報が、認証資格情報、アクセス制御資格情報、使用許諾情報、広告許可情報、支払情報、および複数のデータタイプのうちの少なくとも一つの選択、のうちの少なくとも一つを含む、本発明1071の非一時的プロセッサ可読記憶媒体。
[本発明1073]
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、本発明1072の非一時的プロセッサ可読記憶媒体。
[本発明1074]
記憶されたプロセッサ実行可能ソフトウェア命令が、
要求のあった照明インフラストラクチャアプリケーションフレームワークからのデータに第1の機器がアクセスするための許可を、受信登録情報に基づいて前記第1の機器が許可されているかどうか判定することによって検証する動作と、
前記第1の機器が許可されていないと判定された場合に前記第1の機器からの登録情報を求める要求を送信する動作と
をさらに含む動作を、プロセッサに実行させるように構成されており、かつ
前記記憶されたプロセッサ実行可能ソフトウェア命令が、
要求のあった前記照明インフラストラクチャアプリケーションフレームワークからの前記データに少なくとも一部基づいて前記第1の機器からの要求に対する応答を送信する動作が、前記第1の機器が許可されていると判定された場合に前記第1の機器からの前記要求に対する前記応答を送信する動作を含むようになっている動作を、プロセッサに実行させるように構成されている、本発明1071の非一時的プロセッサ可読記憶媒体。
[本発明1075]
照明インフラストラクチャアプリケーションフレームワークが、少なくとも一つのサービスプラットフォームコンピューティング機器と、少なくとも一つのゲートウェイプラットフォーム機器と、複数の照明ノードプラットフォーム機器とを含み、かつ
前記少なくとも一つのゲートウェイプラットフォーム機器が、前記少なくとも一つのサービスプラットフォームコンピューティング機器と通信を交換するように構成されており、かつ
前記複数の照明ノードプラットフォーム機器が、前記複数の照明ノードプラットフォーム機器と関連付けられたデータが前記少なくとも一つのゲートウェイプラットフォーム機器を介して前記少なくとも一つのサービスプラットフォームコンピューティング機器へ送信されるように、前記少なくとも一つのゲートウェイプラットフォーム機器と通信を交換するように構成されている、本発明1070の非一時的プロセッサ可読記憶媒体。
[本発明1076]
記憶されたプロセッサ実行可能ソフトウェア命令が、
送信された応答に関連した料金および収益のうちの少なくとも一つを計算する動作が、
要求に基づいて第1の機器についての使用特性を決定する動作と、
前記決定された使用特性に基づいて前記料金を計算する動作と
を含むようになっている動作を、プロセッサに実行させるように構成されている、本発明1070の非一時的プロセッサ可読記憶媒体。
[本発明1077]
使用特性が、データのタイプ、データアクセスの頻度、データの量、データソース位置、データ需要、および要求時間のうちの少なくとも一つを含む、本発明1076の非一時的プロセッサ可読記憶媒体。
[本発明1078]
記憶されたプロセッサ実行可能ソフトウェア命令が、
送信された応答に関連した料金および収益のうちの少なくとも一つを計算する動作が、
前記送信された応答に関連した照明インフラストラクチャアプリケーションフレームワークによる照明ノードプラットフォーム機器使用量を決定する動作と、
前記決定された照明ノードプラットフォーム機器使用量に関連した照明インフラストラクチャ所有者のための収益を計算する動作であって、前記照明インフラストラクチャ所有者が、照明ノードプラットフォーム機器を含む照明インフラストラクチャと関連付けられている、前記動作と
を含むようになっている動作を、プロセッサに実行させるように構成されている、本発明1070の非一時的プロセッサ可読記憶媒体。
[本発明1079]
少なくとも一つの照明ノードプラットフォーム機器が、
電力を受け取るための電源と、
前記電源に結合された照明ソケットと、
前記電源に結合されたデータプロセッサを含むノードアプリケーションコントローラと、
サービスプラットフォームコンピュータに通信可能に結合されている、前記プロセッサに結合されたネットワークインターフェースと、
前記少なくとも一つの照明ノードプラットフォーム機器での条件を検出し、応答して前記条件に関する情報を前記プロセッサに提供するための、前記プロセッサに結合されたセンサと
を含む、本発明1070の非一時的プロセッサ可読記憶媒体。
[本発明1080]
電力のための電源が、交流電力を受け取るための電源入力端子を含み、かつ
照明ノードプラットフォーム機器が、
前記電源入力端子に結合された交流直流変換器と、
前記交流直流変換器に結合されたLEDドライバと、
前記交流直流変換器から第1のセンサへと電力を提供するために前記LEDドライバに結合された電力インターフェースと
をさらに含む、本発明1079の非一時的プロセッサ可読記憶媒体。
[本発明1081]
照明インフラストラクチャアプリケーションフレームワークが、複数の照明ノードプラットフォーム機器の各々が複数のセンサのうちの少なくとも一つのセンサを含むように前記複数のセンサを含み、かつ
前記複数のセンサの各センサが、サービスプラットフォームコンピュータにセンサデータを提供する、本発明1070の非一時的プロセッサ可読記憶媒体。
[本発明1082]
複数のセンサが、エネルギー使用センサ、光センサ、動き検出器、占有センサ、エネルギー使用量センサ、光センサ、環境センサ、セキュリティセンサ、オーディオセンサ、カメラ、ガス検知センサ、侵入検知器、振動センサ、人検知センサ、車両検知センサ、動きセンサ、安全センサ、バイオハザードセンサ、スキャンセンサ、位置センサ、バイオメトリックセンサ、力学的センサ、信号検出器、および産業特有のセンサを含む、本発明1081の非一時的プロセッサ可読記憶媒体。
[本発明1083]
照明インフラストラクチャアプリケーションフレームワークに関連した料金および収益を計算するための動作をプロセッサに実行させるように構成されたプロセッサ実行可能ソフトウェア命令が記憶されている非一時的プロセッサ可読記憶媒体であって、前記動作が、
センサおよびコントローラのうちの少なくとも一つに関連したセンサデータおよびコントローラ情報のうちの少なくとも一つを含むデータを受信する動作であって、前記センサおよび前記コントローラが、前記プロセッサを有するコンピューティング機器に結合されたローカルエリアネットワーク内にあり、かつ少なくとも一つの照明ノードプラットフォーム機器と関連付けられている、前記動作と、
前記受信データと関連付けられる前記料金および前記収益を記述する情報を計算する動作であって、前記収益が、前記コンピューティング機器と関連付けられた照明インフラストラクチャ所有者のためのものである、前記動作と、
前記計算された情報を、前記照明インフラストラクチャアプリケーションフレームワークと関連付けられた別の機器へ送信する動作と
を含む、非一時的プロセッサ可読記憶媒体。
[本発明1084]
照明インフラストラクチャアプリケーションフレームワークと関連付けられる節約情報を計算するための動作をプロセッサに実行させるように構成されたプロセッサ実行可能ソフトウェア命令が記憶されている非一時的プロセッサ可読記憶媒体であって、前記動作が、
前記照明インフラストラクチャアプリケーションフレームワーク内の複数の照明ノードプラットフォーム機器からリアルタイムのエネルギー使用量データを受信する動作と、
前記複数の照明ノードプラットフォーム機器の管理および使用と関連付けられるエネルギー節約情報を計算する動作と、
前記複数の照明ノードプラットフォーム機器の前記管理および前記使用と関連付けられる前記計算されたエネルギー節約情報に基づいて炭素クレジット情報を自動的に計算する動作と、
前記計算された炭素クレジット情報に基づいて炭素クレジットを求める要求を送信する動作と
を含む、非一時的プロセッサ可読記憶媒体。
[本発明1085]
照明インフラストラクチャアプリケーションフレームワークに関連したソフトウェアを配信するための動作をプロセッサに実行させるように構成されたプロセッサ実行可能ソフトウェア命令が記憶されている非一時的プロセッサ可読記憶媒体であって、前記動作が、
前記ソフトウェアを受信する動作であって、前記ソフトウェアが、前記照明インフラストラクチャアプリケーションフレームワーク内の複数の照明ノードプラットフォーム機器のうちの少なくとも一つによって実行されるべきものであり、前記ソフトウェアが、スクリプト、アプリケーション、アプリ、およびルーチンのうちの少なくとも一つである、前記動作と、
前記受信したソフトウェアを前記ソフトウェアの提供者に関連して記憶する動作であって、前記提供者がアプリケーション提供者および照明インフラストラクチャ所有者のうちの1者である、前記動作と、
要求の受信に応答して前記ソフトウェアを宛先機器へ送信する動作と
を含む、非一時的プロセッサ可読記憶媒体。
[本発明1086]
記憶されたプロセッサ実行可能ソフトウェア命令が、
ソフトウェアに対する更新を受信する動作であって、前記更新が、バイナリ更新、ファームウェア更新、および構成データのうちの少なくとも一つである、前記動作と、
前記更新の受信に応答して前記更新を送信する動作と
をさらに含む動作を、プロセッサに実行させるように構成されている、本発明1085の非一時的プロセッサ可読記憶媒体。
[本発明1087]
要求が、照明インフラストラクチャ所有者と関係していない第三者機器、ゲートウェイプラットフォーム機器、および複数の照明ノードプラットフォーム機器のうちの一つ、のうちの一つからのものである、本発明1085の非一時的プロセッサ可読記憶媒体。
[本発明1088]
宛先機器が、複数の照明ノードプラットフォーム機器のうちの少なくとも一つである、本発明1085の非一時的プロセッサ可読記憶媒体。
[本発明1089]
照明インフラストラクチャアプリケーションフレームワークに関連して受信したデータを処理するための動作をプロセッサに実行させるように構成されたプロセッサ実行可能ソフトウェア命令が記憶されている非一時的プロセッサ可読記憶媒体であって、前記動作が、
前記照明インフラストラクチャアプリケーションフレームワーク内の複数の照明ノードプラットフォーム機器によって報告されるデータを受信する動作と、
前記受信データを分析することまたは集約することの少なくとも一方によって前記受信データを処理する動作と、
前記データの前記処理に基づいて複数の事前定義のイベントのうちの少なくとも一つの発生を検出する動作と、
前記データの前記処理に基づいて前記受信データ内の傾向を特定する動作と、
前記データの前記処理に基づいて前もってイベントを予測する動作と
を含む、非一時的プロセッサ可読記憶媒体。
[本発明1090]
記憶されたプロセッサ実行可能ソフトウェア命令が、データの処理を報告するメッセージを送信する動作をさらに含む動作をプロセッサに実行させるように構成されている、本発明1089の非一時的プロセッサ可読記憶媒体。
[本発明1091]
記憶されたプロセッサ実行可能ソフトウェア命令が、
受信データおよび前記データの処理のうちの少なくとも一つに基づいてコマンドを送信する動作であって、前記コマンドが、ソフトウェア、スクリプト、および構成データのうちの少なくとも一つを含む、前記動作
をさらに含む動作を、プロセッサに実行させるように構成されている、本発明1089の非一時的プロセッサ可読記憶媒体。
[本発明1092]
コマンドが、複数の照明ノードプラットフォーム機器と関連付けられたセンサのための動作命令を含む、本発明1091の非一時的プロセッサ可読記憶媒体。
[本発明1093]
照明インフラストラクチャへのソフトウェアの配信、料金もしくは収益の計算、または照明ノードプラットフォーム機器から受信したデータの処理のうちの少なくとも一つを実行するように構成されたサービスプラットフォームコンピューティング機器と、
前記照明インフラストラクチャ内の複数の照明ノードプラットフォーム機器内の第1の照明ノードプラットフォーム機器と、
前記複数の照明ノードプラットフォーム機器と関連付けられたゲートウェイプラットフォーム機器と
を含む、照明インフラストラクチャアプリケーションフレームワークと照明インフラストラクチャに関連した収益モデルとを実装するためのシステムであって、
前記複数の照明ノードプラットフォーム機器内の各照明ノードプラットフォーム機器が、
電力を受け取るための電源と、
前記電源に結合された照明ソケットと、
第1のメモリと、
前記電源と前記第1のメモリと第1のネットワークインターフェースとに結合された第1のプロセッサと、
条件を検出し、かつ前記条件に関する情報を前記第1のプロセッサへ提供するための少なくとも一つのセンサと、
各照明ノードプラットフォーム機器の前記第1のネットワークインターフェースを相互に結合するネットワークと
を含み、かつ
前記第1の照明ノードプラットフォーム機器の前記第1のプロセッサが、
前記照明ノードプラットフォーム機器に関連したデータを、前記第1のネットワークインターフェースを介して前記ゲートウェイプラットフォーム機器へ送信する動作であって、前記データが、電力使用量情報、光状況情報、ならびに、占有センサデータ、エネルギー使用量センサデータ、光センサデータ、環境センサデータ、セキュリティセンサデータ、オーディオデータ、ビジュアルデータ、ガス検知センサデータ、侵入検知器データ、動きセンサデータ、振動センサデータ、人検知センサデータ、車両検知センサデータ、人検知センサデータ、安全センサデータ、バイオハザードセンサデータ、スキャンセンサデータ、位置センサデータ、バイオメトリックセンサデータ、力学的センサデータ、信号検出器、および産業特有のセンサデータのうちの少なくとも一つを含む前記少なくとも一つのセンサからのセンサデータ、のうちの少なくとも一つを含む、前記動作
を含む動作を実行するためのプロセッサ実行可能命令を用いて、構成され、かつ
前記ゲートウェイプラットフォーム機器が、
第2のメモリと、
前記複数の照明ノードプラットフォーム機器と通信を交換するように構成された第2のネットワークインターフェースと、
広域ネットワーク上で通信を交換するように構成された第3のネットワーク化インターフェースと、
前記第2のネットワークインターフェースと前記第3のネットワークインターフェースと前記第2のメモリとに結合された第2のプロセッサであって、
前記照明ノードプラットフォーム機器によって送信された前記データを、前記第2のネットワークインターフェースを介して受信する動作と、
前記受信データを、前記第3のネットワークインターフェースを介して前記サービスプラットフォームコンピューティング機器へ送信する動作と
を含む動作を実行するためのプロセッサ実行可能命令を用いて構成される前記第2のプロセッサと
を含み、かつ
前記サービスプラットフォームコンピューティング機器が、
第3のメモリと、
前記広域ネットワーク上で通信を交換するように構成された第4のネットワークインターフェースと、
前記第4のネットワークインターフェースと前記第3のメモリとに結合された第3のプロセッサであって、
前記ゲートウェイプラットフォーム機器によって報告され送信された前記データを、前記第4のネットワークインターフェースを介して受信する動作
を含む動作を実行するためのプロセッサ実行可能命令を用いて構成される前記第3のプロセッサと
を含む、システム。
[本発明1094]
第1の機器をさらに含むシステムであって、
前記第1の機器が、
広域ネットワーク上で通信を交換するように構成された第5のネットワークインターフェースと、
前記第5のネットワークインターフェースに結合された第4のプロセッサであって、
データの少なくとも一部分へのアクセスを求める要求を、前記第5のネットワークインターフェースを介して前記サービスプラットフォームコンピューティング機器へ送信する動作
を含む動作を実行するためのプロセッサ実行可能命令を用いて構成される前記第4のプロセッサと
を含み、かつ
第3のプロセッサが、
前記第4のネットワークインターフェースを介して前記要求を受信する動作と、
要求のあったデータに少なくとも一部基づいて前記第1の機器からの前記要求に対する応答を、前記第4のネットワークインターフェースを介して前記第1の機器へ送信する動作と、
前記送信された応答に関連した料金および収益のうちの少なくとも一つを計算する動作と
をさらに含む動作を実行するためのプロセッサ実行可能命令を用いて、構成される、本発明1093のシステム。
[本発明1095]
第3のプロセッサが、
受信登録情報に基づいて機器を登録する動作であって、前記登録情報が第1の機器によって送信される、前記動作
をさらに含むプロセッサ実行可能命令を用いて、構成される、本発明1094のシステム。
[本発明1096]
登録情報が、認証資格情報、アクセス制御資格情報、使用許諾情報、広告許可情報、支払情報、および複数のデータタイプのうちの少なくとも一つの選択、のうちの少なくとも一つを含む、本発明1095のシステム。
[本発明1097]
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、人検知センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、本発明1096のシステム。
[本発明1098]
第3のプロセッサが、
要求のあった照明インフラストラクチャアプリケーションフレームワークからのデータに第1の機器がアクセスするための許可を、受信登録情報に基づいて前記第1の機器が許可されているかどうか判定することによって検証する動作と、
前記第1の機器が許可されていないと判定された場合に前記第1の機器からの登録情報を求める要求を送信する動作と
をさらに含むプロセッサ実行可能命令を用いて、構成され、かつ
前記第3のプロセッサが、
要求のあった前記照明インフラストラクチャアプリケーションフレームワークからの前記データに少なくとも一部基づいて前記第1の機器からの要求に対する応答を送信する動作が、前記第1の機器が許可されていると判定された場合に前記第1の機器からの前記要求に対する前記応答を送信する動作を含むようになっているプロセッサ実行可能命令を用いて、構成される、本発明1094のシステム。
[本発明1099]
第3のプロセッサが、
送信された応答に関連した料金および収益のうちの少なくとも一つを計算する動作が、
要求に基づいて第1の機器についての使用特性を決定する動作と、
前記決定された使用特性に基づいて前記料金を計算する動作と
を含むようになっているプロセッサ実行可能命令を用いて、構成される、本発明1094のシステム。
[本発明1100]
使用特性が、データのタイプ、データアクセスの頻度、データの量、データソース位置、データ需要、および要求時間のうちの少なくとも一つを含む、本発明1099のシステム。
[本発明1101]
第3のプロセッサが、
送信された応答に関連した料金および収益のうちの少なくとも一つを計算する動作が、
前記送信された応答に関連した照明ノードプラットフォーム機器使用量を決定する動作と、
前記決定された照明ノードプラットフォーム機器使用量に関連した照明インフラストラクチャ所有者のための収益を計算する動作であって、前記照明インフラストラクチャ所有者が、複数の照明ノードプラットフォーム機器を含む照明インフラストラクチャと関連付けられている、前記動作と
を含むようになっているプロセッサ実行可能命令を用いて、構成される、本発明1094のシステム。
[本発明1102]
第2のプロセッサが、
受信データと関連付けられる料金および収益を記述する情報を計算する動作であって、前記収益が、照明インフラストラクチャ所有者のためのものである、前記動作
をさらに含む動作を実行するためのプロセッサ実行可能命令を用いて、構成される、本発明1093のシステム。
[本発明1103]
第3のプロセッサが、
受信データに基づいて複数の照明ノードプラットフォーム機器の管理および使用と関連付けられるエネルギー節約情報を計算する動作と、
前記複数の照明ノードプラットフォーム機器の前記管理および前記使用と関連付けられる前記計算されたエネルギー節約情報に基づいて炭素クレジット情報を自動的に計算する動作と、
前記計算された炭素クレジット情報に基づいて炭素クレジットを求める要求を送信する動作と
をさらに含む動作を実行するためのプロセッサ実行可能命令を用いて、構成される、本発明1093のシステム。
[本発明1104]
第3のプロセッサが、
第4のネットワークインターフェースを介して第三者からソフトウェアを受信する動作であって、前記ソフトウェアが、複数の照明ノードプラットフォーム機器のうちの少なくとも一つによって実行されるべきものであり、かつ前記ソフトウェアが、スクリプト、アプリケーション、アプリ、およびルーチンのうちの少なくとも一つである、前記動作と、
前記受信したソフトウェアを前記第三者に関連して記憶する動作と、
前記第4のネットワークインターフェースを介して、前記ソフトウェアをゲートウェイプラットフォーム機器へ送信する動作と
をさらに含む動作を実行するためのプロセッサ実行可能命令を用いて、構成され、かつ
第2のプロセッサが、
第3のネットワークインターフェースを介して前記ソフトウェアを受信する動作と、
前記受信したソフトウェアを、第2のネットワークインターフェースを介して前記複数の照明ノードプラットフォーム機器のうちの少なくとも一つへ送信する動作と
をさらに含む動作を実行するためのプロセッサ実行可能命令を用いて、構成され、かつ
第1のプロセッサが、
第1のネットワークインターフェースを介して前記ゲートウェイプラットフォーム機器から前記ソフトウェアを受信する動作
をさらに含む動作を実行するためのプロセッサ実行可能命令を用いて、構成される、本発明1093のシステム。
[本発明1105]
第3のプロセッサが、
第4のネットワークインターフェースを介してソフトウェアに対する更新を受信する動作であって、前記更新が、バイナリ更新、ファームウェア更新、および構成データのうちの少なくとも一つである、前記動作と、
前記ソフトウェア更新の受信に応答して、前記ソフトウェア更新を、前記第4のネットワークインターフェースを介してゲートウェイプラットフォーム機器へ送信する動作と
をさらに含むプロセッサ実行可能命令を用いて、構成され、かつ
第2のプロセッサが、
第3のネットワークインターフェースを介して前記ソフトウェア更新を受信する動作と、
前記受信したソフトウェア更新を、第2のネットワークインターフェースを介して複数の照明ノードプラットフォーム機器のうちの少なくとも一つへ送信する動作と
をさらに含む動作を実行するためのプロセッサ実行可能命令を用いて、構成され、かつ
第1のプロセッサが、
第1のネットワークインターフェースを介して前記ゲートウェイプラットフォーム機器から前記ソフトウェア更新を受信する動作
をさらに含む動作を実行するためのプロセッサ実行可能命令を用いて、構成される、本発明1104のシステム。
[本発明1106]
第3のプロセッサが、
受信データを分析することまたは集約することの少なくとも一方によって前記受信データを処理する動作と、
前記データの前記処理に基づいて複数の事前定義のイベントのうちの少なくとも一つの発生を検出する動作と、
前記データの前記処理に基づいて前記受信データ内の傾向を特定する動作と、
前記データの前記処理に基づいて前もってイベントを予測する動作と、
前記受信データおよび前記データの前記処理のうちの少なくとも一つに基づいて、第4のネットワークインターフェースを介してゲートウェイプラットフォーム機器へコマンドを送信する動作であって、前記コマンドが、ソフトウェア、スクリプト、および構成データのうちの少なくとも一つを含む、前記動作と
を含む動作を実行するためのプロセッサ実行可能命令を用いて、構成され、かつ
第2のプロセッサが、
第3のネットワークインターフェースを介してサービスプラットフォームコンピューティング機器から前記コマンドを受信する動作と、
前記受信したコマンドを、第2のネットワークインターフェースを介して複数の照明ノードプラットフォーム機器のうちの少なくとも一つへ送信する動作と
をさらに含む動作を実行するためのプロセッサ実行可能命令を用いて、構成され、かつ
第1のプロセッサが、
第1のネットワークインターフェースを介して前記ゲートウェイプラットフォーム機器から前記コマンドを受信する動作と、
前記受信したコマンドを実行する動作と
をさらに含む動作を実行するためのプロセッサ実行可能命令を用いて、構成される、本発明1093のシステム。
[本発明1107]
照明インフラストラクチャアプリケーションフレームワークからのデータへのアクセスを求める第1の機器からの要求を、コンピューティング機器で受信する工程が、照明インフラストラクチャアプリケーションフレームワークからのデータへのアクセスを求める、第1の機器上で実行されているアプリケーションによって送信された前記要求を、前記コンピューティング機器で受信する工程を含み、前記第1の機器が、第三者機器およびサービスプラットフォームコンピュータのうちの少なくとも一つである、本発明1001の方法。
[本発明1108]
照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買する工程をさらに含む、本発明1015の方法。
[本発明1109]
照明インフラストラクチャアプリケーションフレームワークからのデータへのアクセスを求める第1の機器からの要求を、コンピューティング機器で受信するための手段が、照明インフラストラクチャアプリケーションフレームワークからのデータへのアクセスを求める、第1の機器上で実行されているアプリケーションによって送信された前記要求を、前記コンピューティング機器で受信するための手段を含み、前記第1の機器が、第三者機器およびサービスプラットフォームコンピュータのうちの少なくとも一つである、本発明1024のコンピューティング機器。
[本発明1110]
照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買するための手段をさらに含む、本発明1038のコンピューティング機器。
[本発明1111]
プロセッサが、
照明インフラストラクチャアプリケーションフレームワークからのデータへのアクセスを求める第1の機器からの要求を、コンピューティング機器で受信する動作が、照明インフラストラクチャアプリケーションフレームワークからのデータへのアクセスを求める、第1の機器上で実行されているアプリケーションによって送信された前記要求を、前記コンピューティング機器で受信する動作を含むようになっているプロセッサ実行可能命令を用いて、構成され、
前記第1の機器が、第三者機器およびサービスプラットフォームコンピュータのうちの少なくとも一つである、本発明1047のコンピューティング機器。
[本発明1112]
プロセッサが、照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買する動作をさらに含むプロセッサ実行可能命令を用いて構成される、本発明1061のコンピューティング機器。
[本発明1113]
記憶されたプロセッサ実行可能ソフトウェア命令が、
照明インフラストラクチャアプリケーションフレームワークからのデータへのアクセスを求める第1の機器からの要求を受信する動作が、照明インフラストラクチャアプリケーションフレームワークからのデータへのアクセスを求める、第1の機器上で実行されているアプリケーションによって送信された前記要求を受信する動作を含むようになっている動作を、プロセッサに実行させるように構成されており、
前記第1の機器が、第三者機器およびサービスプラットフォームコンピュータのうちの少なくとも一つである、本発明1070の非一時的プロセッサ可読記憶媒体。
[本発明1114]
記憶されたプロセッサ実行可能ソフトウェア命令が、照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買する動作をさらに含む動作をプロセッサに実行させるように構成されている、本発明1084の非一時的プロセッサ可読記憶媒体。
[本発明1115]
第4のプロセッサが、
前記第4のプロセッサを用いてアプリケーションを実行する動作
をさらに含む動作を実行するためのプロセッサ実行可能命令を用いて、構成され、かつ
前記第4のプロセッサが、
サービスプラットフォームコンピューティング機器へ要求を送信する動作が、前記アプリケーションと共に使用するためのデータの少なくとも一部分へのアクセスを求める要求を、第5のネットワークインターフェースを介して前記サービスプラットフォームコンピューティング機器へ送信する動作を含むようになっている動作を実行するためのプロセッサ実行可能命令を用いて、構成される、本発明1094のシステム。
[本発明1116]
第3のプロセッサが、
照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買する動作
をさらに含む動作を実行するためのプロセッサ実行可能命令を用いて、構成される、本発明1103のシステム。
[本発明1117]
照明インフラストラクチャアプリケーションフレームワークと関連付けられたデータ市場を提供するためのコンピューティング機器のための方法であって、
少なくとも一つの照明ノードプラットフォーム機器を含む照明インフラストラクチャに関連したデータを前記コンピューティング機器で受信する工程;
価値要因に基づいて受信データの価値および入札条件を計算する工程であって、前記価値要因が少なくともデータタイプおよび収集区域を含む、前記工程;
前記受信データについての入札メッセージを受信する工程;
前記計算された入札条件に基づいて入札条件が満たされたかどうか判定する工程;ならびに
前記入札条件が満たされたと判定された場合に、受信した入札メッセージと関連付けられた受領側機器へ前記データを送信する工程
を含む方法。
[本発明1118]
照明インフラストラクチャアプリケーションフレームワークと関連付けられたデータ市場を提供するためのコンピューティング機器であって、
少なくとも一つの照明ノードプラットフォーム機器を含む照明インフラストラクチャに関連したデータを前記コンピューティング機器で受信するための手段と、
価値要因に基づいて受信データの価値および入札条件を計算するための手段であって、前記価値要因が少なくともデータタイプおよび収集区域を含む、前記手段と、
前記受信データについての入札メッセージを受信するための手段と、
前記計算された入札条件に基づいて入札条件が満たされたかどうか判定するための手段と、
前記入札条件が満たされたと判定された場合に、受信した入札メッセージと関連付けられた受領側機器へ前記データを送信するための手段と
を含むコンピューティング機器。
[本発明1119]
照明インフラストラクチャアプリケーションフレームワークと関連付けられたデータ市場を提供するように構成されたコンピューティング機器であって、
メモリと、
前記メモリに結合されたプロセッサであって、
少なくとも一つの照明ノードプラットフォーム機器を含む照明インフラストラクチャに関連したデータを前記コンピューティング機器で受信する動作と、
価値要因に基づいて受信データの価値および入札条件を計算する動作であって、前記価値要因が少なくともデータタイプおよび収集区域を含む、前記動作と、
前記受信データについての入札メッセージを受信する動作と、
前記計算された入札条件に基づいて入札条件が満たされたかどうか判定する動作と、
前記入札条件が満たされたと判定された場合に、受信した入札メッセージと関連付けられた受領側機器へ前記データを送信する動作と
を含む動作を実行するためのプロセッサ実行可能命令を用いて構成される前記プロセッサと
を含むコンピューティング機器。
[本発明1120]
照明インフラストラクチャアプリケーションフレームワークと関連付けられたデータ市場を提供するためのコンピューティング機器のための動作をプロセッサに実行させるように構成されたプロセッサ実行可能ソフトウェア命令が記憶されている非一時的プロセッサ可読記憶媒体であって、前記動作が、
少なくとも一つの照明ノードプラットフォーム機器を含む照明インフラストラクチャに関連したデータを前記コンピューティング機器で受信する動作と、
価値要因に基づいて受信データの価値および入札条件を計算する動作であって、前記価値要因が少なくともデータタイプおよび収集区域を含む、前記動作と、
前記受信データについての入札メッセージを受信する動作と、
前記計算された入札条件に基づいて入札条件が満たされたかどうか判定する動作と、
前記入札条件が満たされたと判定された場合に、受信した入札メッセージと関連付けられた受領側機器へ前記データを送信する動作と
を含む、非一時的プロセッサ可読記憶媒体。
[本発明1121]
第3のプロセッサが、
価値要因に基づいてデータの価値および入札条件を計算する動作であって、前記価値要因が少なくともデータタイプおよび収集区域を含む、前記動作と、
前記受信データについての入札メッセージを受信する動作と、
前記計算された入札条件に基づいて入札条件が満たされたかどうか判定する動作と、
前記入札条件が満たされたと判定された場合に、前記入札メッセージと関連付けられた機器へ、第4のネットワークインターフェースを介してデータを送信する動作と
をさらに含む動作を実行するためのプロセッサ実行可能命令を用いて、構成される、本発明1093のシステム。
[本発明1122]
ソフトウェアの送信に応答して料金および収益のうちの少なくとも一つを計算する工程;ならびに
前記料金または前記収益の価値を指し示すメッセージを送信する工程であって、前記メッセージが、アプリケーション提供者および照明インフラストラクチャ所有者のうちの1者へ送信される、前記工程
をさらに含む、本発明1016の方法。
[本発明1123]
料金および収益のうちの少なくとも一つが、ソフトウェアを実行している複数の照明ノードプラットフォーム機器のうちの少なくとも一つと関連付けて送信されたデータに基づくものである、本発明1122の方法。
[本発明1124]
ソフトウェアの送信に応答して料金および収益のうちの少なくとも一つを計算するための手段と、
前記料金または前記収益の価値を指し示すメッセージを送信するための手段であって、前記メッセージが、アプリケーション提供者および照明インフラストラクチャ所有者のうちの1者へ送信される、前記手段と
をさらに含む、本発明1039のコンピューティング機器。
[本発明1125]
料金および収益のうちの少なくとも一つが、ソフトウェアを実行している複数の照明ノードプラットフォーム機器のうちの少なくとも一つと関連付けて送信されたデータに基づくものである、本発明1124のコンピューティング機器。
[本発明1126]
プロセッサが、
ソフトウェアの送信に応答して料金および収益のうちの少なくとも一つを計算する動作と、
前記料金または前記収益の価値を指し示すメッセージを送信する動作であって、前記メッセージが、アプリケーション提供者および照明インフラストラクチャ所有者のうちの1者へ送信される、前記動作と
をさらに含む動作を実行するためのプロセッサ実行可能命令を用いて、構成される、本発明1062のコンピューティング機器。
[本発明1127]
料金および収益のうちの少なくとも一つが、ソフトウェアを実行している複数の照明ノードプラットフォーム機器のうちの少なくとも一つと関連付けて送信されたデータに基づくものである、本発明1126のコンピューティング機器。
[本発明1128]
記憶されたプロセッサ実行可能ソフトウェア命令が、
ソフトウェアの送信に応答して料金および収益のうちの少なくとも一つを計算する動作と、
前記料金または前記収益の価値を指し示すメッセージを送信する動作であって、前記メッセージが、アプリケーション提供者および照明インフラストラクチャ所有者のうちの1者へ送信される、前記動作と
をさらに含む動作を、プロセッサに実行させるように構成されている、本発明1085の非一時的プロセッサ可読記憶媒体。
[本発明1129]
料金および収益のうちの少なくとも一つが、ソフトウェアを実行している複数の照明ノードプラットフォーム機器のうちの少なくとも一つと関連付けて送信されたデータに基づくものである、本発明1128の非一時的プロセッサ可読記憶媒体。
[本発明1130]
第3のプロセッサが、
ソフトウェアの送信に応答して料金および収益のうちの少なくとも一つを計算する動作と、
前記料金または前記収益の価値を指し示すメッセージを送信する動作であって、前記メッセージが、アプリケーション提供者および照明インフラストラクチャ所有者のうちの1者へ送信される、前記動作と
をさらに含む動作を実行するためのプロセッサ実行可能命令を用いて、構成される、本発明1104のシステム。
[本発明1131]
料金および収益のうちの少なくとも一つが、ソフトウェアを実行している複数の照明ノードプラットフォーム機器のうちの少なくとも一つと関連付けて送信されたデータに基づくものである、本発明1130のシステム。